(57)【特許請求の範囲】
【請求項１】
軸方向の一端部および他端部が閉塞された長尺筒状のハウジングと、
前記ハウジングの内部の空間を径方向に内側空間と外側空間とに区画する内筒部と、
前記内筒部の内側に位置し、前記内側空間を前記ハウジングの前記一端部側に位置する燃焼室と前記ハウジングの前記他端部側に位置する減圧室とに区画する第１仕切り部と、
前記内筒部の外側に位置し、前記外側空間を前記ハウジングの前記一端部側に位置するガス通路室と前記ハウジングの前記他端部側に位置するガス排出室とに区画する第２仕切り部と、
前記燃焼室に面するように前記ハウジングの前記一端部に組付けられた点火器と、
前記燃焼室に収容されたガス発生剤とを備え、
前記第１仕切り部は、前記第２仕切り部よりも前記ハウジングの前記一端部側に配置され、
前記内筒部は、前記ハウジングの軸方向に沿って前記ハウジングの前記一端部側から前記他端部側に向けて順に、前記燃焼室と前記ガス通路室とを連通させるための第１連通孔が設けられた第１筒状部と、前記ガス通路室と前記減圧室とを連通させるための第２連通孔が設けられた第２筒状部と、前記減圧室と前記ガス排出室とを連通させるための第３連通孔が設けられた第３筒状部とを含み、
前記ガス排出室を規定する部分の前記ハウジングの周壁部には、前記ハウジングの外部に向けてガスを噴出するためのガス噴出口が設けられ、
前記第２仕切り部と前記第３筒状部とは、大径部および小径部を有しかつこれら大径部および小径部が一体化された単一の部材である第１筒部材にて構成され、
前記第１筒部材は、前記第２仕切り部である前記大径部と前記第３筒状部である前記小径部との間に位置する環状段差部をさらに有し、
前記第１筒部材の前記ハウジングの前記他端部側に位置する軸方向端部が前記ハウジングの前記他端部に当接されるとともに、前記大径部の外周面が前記ハウジングの前記周壁部の内周面に当接されることにより、前記第１筒部材が、前記ハウジングに組付けられ、
前記第２筒状部の前記ハウジングの前記他端部側に位置する軸方向端部が前記大径部に内挿されて前記環状段差部に当接されることにより、前記第２筒状部が、前記第１筒部材に組付けられている、ガス発生器。
【請求項２】
前記第２筒状部の前記ハウジングの前記他端部側に位置する軸方向端部が、前記ハウジングの前記他端部側に向かうにつれて拡径する拡径部にて構成されている、請求項１に記載のガス発生器。
【請求項３】
前記第２筒状部と前記第１筒部材との当接箇所が、前記ハウジングの前記他端部側に向かうにつれて縮径する傾斜部分を含んでいる、請求項１または２に記載のガス発生器。
【請求項４】
前記第１筒状部と前記第２筒状部とが、単一の部材である第２筒部材にて構成され、
前記第１仕切り部が、前記第１筒部材および前記第２筒部材とは異なる、前記第２筒部材に内挿された別部材にて構成されている、請求項１から３のいずれかに記載のガス発生器。
【請求項５】
前記第１筒状部と前記第２筒状部とが、互いに分離された異なる部材にて構成され、
前記第１仕切り部が、前記第１筒状部を構成する部材の一部および／または前記第２筒状部を構成する部材の一部にて構成されている、請求項１から３のいずれかに記載のガス発生器。
【請求項６】
前記減圧室のうちの前記第２筒状部の内側の空間に該当する部分に、前記第２連通孔に面するように前記ハウジングの軸方向に沿って延在する中実状のロッド部が設けられている、請求項１から５のいずれかに記載のガス発生器。
【請求項７】
前記ロッド部に金属線材の巻回体が外挿されている、請求項６に記載のガス発生器。
【請求項８】
前記第３連通孔と前記ガス噴出口とが、前記ハウジングの径方向において対面しない位置に設けられている、請求項１から７のいずれかに記載のガス発生器。
【発明の詳細な説明】
【技術分野】
【０００１】
本発明は、自動車等に装備される乗員保護装置としてのエアバッグ装置に組み込まれるガス発生器に関し、特に、長尺円柱状の外形を有するガス発生器に関する。
【背景技術】
【０００２】
従来、自動車等の乗員の保護の観点から、乗員保護装置であるエアバッグ装置が普及している。エアバッグ装置は、車両等衝突時に生じる衝撃から乗員を保護する目的で装備されるものであり、車両等衝突時に瞬時にエアバッグを膨張および展開させることにより、展開されたエアバッグで乗員の体を受け止めるものである。ガス発生器は、このエアバッグ装置に組み込まれ、車両等衝突時に瞬時にガスを発生させてエアバッグを膨張および展開させる機器である。
【０００３】
ガス発生器には、車両等に対する設置位置や出力等の仕様に基づき、種々の構成のものが存在している。その一つに、シリンダ型ガス発生器と称されるものが存在する。シリンダ型ガス発生器は、その外形が長尺円柱状であり、サイドエアバッグ装置や助手席側エアバッグ装置、カーテンエアバッグ装置、ニーエアバッグ装置、シートクッションエアバッグ装置等に好適に組み込まれる。
【０００４】
通常、シリンダ型ガス発生器においては、ハウジングの軸方向の一端部に点火器が設置され、ハウジングの軸方向の中央部にガス発生剤が収容された燃焼室が設けられ、ハウジングの軸方向の他端部にフィルタが収容されたフィルタ室が設けられ、当該フィルタ室を規定する部分のハウジングの周壁部にガス噴出口が設けられる。このように構成されたシリンダ型ガス発生器においては、一般に、燃焼室にて発生したガスがフィルタ室に流入することでフィルタの内部を通過し、フィルタを通過した後のガスがガス噴出口を介して外部に噴出されることになる。なお、長尺円柱状の外形を有するガス発生器としては、このシリンダ型ガス発生器の他にも、いわゆるＴ字型ガス発生器と呼ばれるもの等が存在している。
【０００５】
ここで、燃焼室にて発生したガスの冷却効率の向上を図ることができるシリンダ型ガス発生器として、特開平１１−２４５７６０号公報（特許文献１）に開示のものがある。当該特許文献１に開示されたシリンダ型ガス発生器は、燃焼室にて発生したガスがフィルタ室に流入する前にハウジングの周壁部に一旦吹き付けられることとなるようにその流路が構成されたものである。
【０００６】
具体的には、当該特許文献１に開示されたシリンダ型ガス発生器においては、長尺略円筒状のハウジングの内部の空間を軸方向に仕切る仕切り部材がハウジングの内部に設けられ、当該仕切り部材よりも点火器側の空間にハウジングと同軸上に金網状のスクリーンが設置され、当該仕切り部材から見て点火器が位置する側とは反対側の空間にフィルタが設置されている。そして、当該スクリーンの内部の空間のうちの点火器側に位置する部分にガス発生剤が収容されているとともに、当該スクリーンの内部の空間のうちのフィルタ側に位置する部分にカップ状部材が設置されている。
【０００７】
上記のように構成することにより、ガス発生剤が燃焼することで発生した高温のガスは、一旦、ハウジングの径方向外側に向けて移動することでスクリーンを通過してハウジングの内周面に吹き付けられ、その後、カップ状部材に設けられた連通孔を介してカップ状部材の内部に流れ込み、さらにその後、仕切り部材に設けられた連通孔を経由してフィルタの内部へと流入する。そのため、燃焼室にて発生した高温のガスは、フィルタに到達する前にスクリーンの外部において比較的温度が低いハウジングによって冷却されることになるため、ガスの冷却効率の向上が図られることになる。
【０００８】
また、燃焼室にて発生したガスがハウジングの外部に噴出される前にハウジングの周壁部に一旦吹き付けられることとなるようにその流路が構成されるとともに、周壁部に吹き付けられ後のガスの流路をさらに複雑化することでフィルタの設置を不要にしたシリンダ型ガス発生器として、たとえば特表２００８−５４６５１３号公報（特許文献２）に開示のものがある。
【０００９】
当該特許文献２に開示されたシリンダ型ガス発生器においては、ハウジングのガス噴出口が設けられた側の軸方向端部が他の部位に比較して小径に絞られた形状とされ、ハウジングの内部の空間が筒状の区画部材によって径方向に区画されるとともに、当該区画部材の内部を軸方向に隔てるように隔壁部が設けられ、当該隔壁部によって区画された空間のうち、点火器が設置された方の空間にガス発生剤が収容され、ハウジングに設けられたガス噴出口に面する方の空間に中空状の筒状部材が設置されている。
【００１０】
このように構成されたシリンダ型ガス発生器においては、ガス発生剤が燃焼することで発生した高温のガスは、区画部材に設けられた連通孔を介して、一旦、ハウジングの径方向外側に向けて移動することでハウジングの内周面に吹き付けられ、その後、区画部材に設けられた他の連通孔を介して隔壁部によって区画された空間のうちの上記ガス噴出口に面する方の空間に流れ込み、さらにその後、当該空間に上記筒状部材が設置されることで構成された迷路化された流路を経てガス噴出口へと至る。そのため、燃焼室にて発生した高温のガスは、区画部材の外部において比較的温度が低いハウジングによって冷却されることになるため、ガスの冷却効率の向上が図られるとともに、上述した迷路化した流路をさらに通過することにより、さらなるガスの冷却効率の向上が図られることでフィルタの設置が不要とされている。
【先行技術文献】
【特許文献】
【００１１】
【特許文献１】特開平１１−２４５７６０号公報
【特許文献２】特表２００８−５４６５１３号公報
【発明の概要】
【発明が解決しようとする課題】
【００１２】
上記特許文献１および２に開示される如くのガスの流動方向が複数回にわたって変更されるように構成されたガス発生器においては、その内部構造が自ずと複雑化することになるため、結果としてガスの流路を規定するために多数の部品が必要となる。そのため、製造の際の組付作業が煩雑化してしまう問題があり、可能な限り部品点数を削減することが求められている。
【００１３】
また、作動時において、燃焼室にて発生したガスが意図した流路を確実に通過して外部に噴出されるようにするためには、各部品間に意図しない隙間が生じることがないように組付け時における部品の位置決めや組付構造を十分に考慮することが必要である。
【００１４】
さらには、各部品の形状が複雑化した場合には、部品コストが増大することでガス発生器の製造コストが結果として増大してしまうことになるため、各部品の形状もより簡素な形状にすることが必要である。
【００１５】
上述した特許文献１および２に開示されたガス発生器においては、これらの点においてさらなる改善の余地があるものであり、組付けが容易な程度にまで簡素な構成が十分に実現されているものとは必ずしも言えない。
【００１６】
したがって、本発明は、上述した問題に鑑みてなされたものであり、効率的なガスの冷却が可能でかつ組付けが容易な程度にまで十分にその構成が簡素化されたガス発生器を提供することを目的とする。
【課題を解決するための手段】
【００１７】
本発明に基づくガス発生器は、軸方向の一端部および他端部が閉塞された長尺筒状のハウジングと、上記ハウジングの内部の空間を径方向に内側空間と外側空間とに区画する内筒部と、上記内筒部の内側に位置し、上記内側空間を上記ハウジングの上記一端部側に位置する燃焼室と上記ハウジングの上記他端部側に位置する減圧室とに区画する第１仕切り部と、上記内筒部の外側に位置し、上記外側空間を上記ハウジングの上記一端部側に位置するガス通路室と上記ハウジングの上記他端部側に位置するガス排出室とに区画する第２仕切り部と、上記燃焼室に面するように上記ハウジングの上記一端部に組付けられた点火器と、上記燃焼室に収容されたガス発生剤とを備えている。上記第１仕切り部は、上記第２仕切り部よりも上記ハウジングの上記一端部側に配置されている。上記内筒部は、上記ハウジングの軸方向に沿って上記ハウジングの上記一端部側から上記他端部側に向けて順に、上記燃焼室と上記ガス通路室とを連通させるための第１連通孔が設けられた第１筒状部と、上記ガス通路室と上記減圧室とを連通させるための第２連通孔が設けられた第２筒状部と、上記減圧室と上記ガス排出室とを連通させるための第３連通孔が設けられた第３筒状部とを含んでいる。上記ガス排出室を規定する部分の上記ハウジングの周壁部には、上記ハウジングの外部に向けてガスを噴出するためのガス噴出口が設けられている。上記第２仕切り部と上記第３筒状部とは、大径部および小径部を有しかつこれら大径部および小径部が一体化された単一の部材である第１筒部材にて構成されており、当該第１筒部材は、上記第２仕切り部である上記大径部と上記第３筒状部である上記小径部との間に位置する環状段差部をさらに有している。上記本発明に基づくガス発生器においては、上記第１筒部材の上記ハウジングの上記他端部側に位置する軸方向端部が上記ハウジングの上記他端部に当接されるとともに、上記大径部の外周面が上記ハウジングの上記周壁部の内周面に当接されることにより、上記第１筒部材が、上記ハウジングに組付けられており、上記第２筒状部の上記ハウジングの上記他端部側に位置する軸方向端部が上記大径部に内挿されて上記環状段差部に当接されることにより、上記第２筒状部が、上記第１筒部材に組付けられている。
【００１８】
上記本発明に基づくガス発生器にあっては、上記第２筒状部の上記ハウジングの上記他端部側に位置する軸方向端部が、上記ハウジングの上記他端部側に向かうにつれて拡径する拡径部にて構成されていてもよい。
【００１９】
上記本発明に基づくガス発生器にあっては、上記第２筒状部と上記第１筒部材との当接箇所が、上記ハウジングの上記他端部側に向かうにつれて縮径する傾斜部分を含んでいてもよい。
【００２０】
上記本発明に基づくガス発生器にあっては、上記第１筒状部と上記第２筒状部とが、単一の部材である第２筒部材にて構成されているとともに、上記第１仕切り部が、上記第１筒部材および上記第２筒部材とは異なる、上記第２筒部材に内挿された別部材にて構成されていてもよい。
【００２１】
上記本発明に基づくガス発生器にあっては、上記第１筒状部と上記第２筒状部とが、互いに分離された異なる部材にて構成されているとともに、上記第１仕切り部が、上記第１筒状部を構成する部材の一部および／または上記第２筒状部を構成する部材の一部にて構成されていてもよい。
【００２２】
上記本発明に基づくガス発生器にあっては、上記減圧室のうちの上記第２筒状部の内側の空間に該当する部分に、上記第２連通孔に面するように上記ハウジングの軸方向に沿って延在する中実状のロッド部が設けられていてもよい。
【００２３】
上記本発明に基づくガス発生器にあっては、上記ロッド部に金属線材の巻回体が外挿されていてもよい。
【００２４】
上記本発明に基づくガス発生器にあっては、上記第３連通孔と上記ガス噴出口とが、上記ハウジングの径方向において対面しない位置に設けられていてもよい。
【発明の効果】
【００２５】
本発明によれば、効率的なガスの冷却が可能でかつ組付けが容易な程度にまで十分にその構成が簡素化されたガス発生器とすることができる。
【図面の簡単な説明】
【００２６】
【図１】本発明の実施の形態１におけるシリンダ型ガス発生器の概略図である。
【図２】図１に示すシリンダ型ガス発生器の点火器近傍の拡大断面図である。
【図３】図１に示すシリンダ型ガス発生器のガス噴出口近傍の拡大断面図である。
【図４】図１に示すシリンダ型ガス発生器の作動時におけるガスの流れを模式的に表わした図である。
【図５】本発明の実施の形態２におけるシリンダ型ガス発生器のガス噴出口近傍の概略図である。
【図６】本発明の実施の形態３におけるシリンダ型ガス発生器のガス噴出口近傍の概略図である。
【図７】本発明の実施の形態４におけるシリンダ型ガス発生器のガス噴出口近傍の概略図である。
【図８】図７に示す領域ＶＩＩＩの拡大図である。
【図９】本発明の実施の形態５におけるシリンダ型ガス発生器のガス噴出口近傍の概略図である。
【図１０】図９に示す領域Ｘの拡大図である。
【図１１】本発明の実施の形態６におけるシリンダ型ガス発生器のガス噴出口近傍の概略図である。
【発明を実施するための形態】
【００２７】
以下、本発明の実施の形態について、図を参照して詳細に説明する。以下に示す実施の形態は、サイドエアバッグ装置に組み込まれるシリンダ型ガス発生器に本発明を適用した場合を例示するものである。なお、以下に示す実施の形態においては、同一のまたは共通する部分について図中同一の符号を付し、その説明は繰り返さない。
【００２８】
（実施の形態１）
図１は、本発明の実施の形態１におけるシリンダ型ガス発生器の概略図である。図２および図３は、それぞれ図１に示すシリンダ型ガス発生器の点火器近傍の拡大断面図およびガス噴出口近傍の拡大断面図である。まず、これら図１ないし図３を参照して、本実施の形態におけるシリンダ型ガス発生器１Ａの構成について説明する。
【００２９】
図１ないし図３に示すように、本実施の形態におけるシリンダ型ガス発生器１Ａは、長尺円柱状の外形を有しており、軸方向に位置する一端部および他端部が閉塞されたハウジングを有している。ハウジングは、ハウジング本体１０と、ホルダ２０と、閉塞部材３０とを含んでおり、これらハウジング本体１０、ホルダ２０および閉塞部材３０によって規定された空間には、内部構成部品としての点火器４０、ガス噴出口側筒部材５０、点火器側筒部材６０、隔壁部材７０、ガス発生剤８０およびクッション部材９０等が配置されている。
【００３０】
ハウジングの内部に設けられた空間は、上述したガス噴出口側筒部材５０、点火器側筒部材６０および隔壁部材７０によって複数の空間に分けられている。この複数の空間には、ガス発生剤８０が主として収容された燃焼室Ｓ１と、燃焼室Ｓ１にて発生したガスをハウジングの外部に向けて排出するガス排出室Ｓ４と、これら燃焼室Ｓ１とガス排出室Ｓ４とを繋ぐガス通路室Ｓ２および減圧室Ｓ３とが含まれている。
【００３１】
ハウジング本体１０は、軸方向の両端に開口が形成された長尺円筒状の周壁部１１を有する部材からなり、その一方の軸方向端部（すなわちハウジングの上述した他端部寄りに位置する方の軸方向端部）にガスを外部に向けて噴出するためのガス噴出口１２を有している。ホルダ２０は、軸方向に沿って延びる貫通部２１を有する短尺円筒状の部材からなり、その外周面に周方向に沿って延びるように形成された後述するかしめ固定のための環状溝部２３を有している。閉塞部材３０は、所定の厚みを有する円盤状の部材からなり、その周面に周方向に沿って延びるように形成された後述するかしめ固定のための環状溝部３１を有している。
【００３２】
ホルダ２０は、ハウジング本体１０の一方の開口端を閉塞するようにハウジング本体１０に固定されている。具体的には、ハウジング本体１０の開口端にホルダ２０が内挿された状態で、当該ホルダ２０の外周面に設けられた環状溝部２３に対応する部分のハウジング本体１０の周壁部１１を径方向内側に向けて縮径させて環状溝部２３に係合させることにより、ホルダ２０がハウジング本体１０に対してかしめ固定されている。これにより、ハウジングの軸方向の一端部が、ホルダ２０によって構成されることになる。
【００３３】
閉塞部材３０は、ハウジング本体１０の他方の開口端を閉塞するようにハウジング本体１０に固定されている。具体的には、ハウジング本体１０の開口端に閉塞部材３０が内挿された状態で、当該閉塞部材３０の周面に設けられた環状溝部３１に対応する部分のハウジング本体１０の周壁部１１を径方向内側に向けて縮径させて環状溝部３１に係合させることにより、閉塞部材３０がハウジング本体１０に対してかしめ固定されている。これにより、ハウジングの軸方向の他端部が、閉塞部材３０によって構成されることになる。
【００３４】
これらのかしめ固定は、ハウジング本体１０の周壁部１１を径方向内側に向けて略均等に縮径される八方かしめと呼ばれるかしめ固定である。この八方かしめを行なうことにより、ハウジング本体１０の周壁部１１には、かしめ部１３，１４が設けられることになり、当該かしめ部１３，１４がそれぞれ環状溝部２３，３１に密着することになる。これにより、ハウジング本体１０とホルダ２０との間およびハウジング本体１０と閉塞部材３０との間に隙間が生じることが防止されている。
【００３５】
図２に示すように、ホルダ２０の外周面には、上述した環状溝部２３とは異なる他の環状溝部２４が設けられている。当該環状溝部２４には、Ｏリング等からなるシール部材２６が収容されている。これにより、ホルダ２０に設けられた環状溝部２４内に収容されたシール部材２６が、ホルダ２０とハウジング本体１０の周壁部１１とによって挟み込まれることになり、当該部分における気密性が確保されることになる。
【００３６】
図３に示すように、閉塞部材３０の周面には、上述した環状溝部３１とは異なる他の環状溝部３２が設けられている。当該環状溝部３２には、Ｏリング等からなるシール部材３３が収容されている。これにより、閉塞部材３０に設けられた環状溝部３２内に収容されたシール部材３３が、閉塞部材３０とハウジング本体１０の周壁部１１とによって挟み込まれることになり、当該部分における気密性が確保されることになる。
【００３７】
ハウジング本体１０は、ステンレス鋼や鉄鋼、アルミニウム合金、ステンレス合金等の金属製の部材にて構成されていてもよいし、ＳＰＣＥに代表される圧延鋼板をプレス加工することで有底円筒状に成形された金属製のプレス成形品、またはＳＴＫＭに代表される電縫管にて構成されていてもよい。特に、ハウジング本体１０を圧延鋼板のプレス成形品や電縫管の成形品で構成した場合には、ステンレス鋼や鉄鋼等の金属製の部材を用いた場合に比べて安価にかつ容易にハウジング本体１０を形成することができるとともに、大幅な軽量化が可能になる。一方、ホルダ２０および閉塞部材３０は、ステンレス鋼や鉄鋼、アルミニウム合金、ステンレス合金等の金属製の部材にて構成されている。
【００３８】
図１および図２に示すように、点火器４０は、ホルダ２０によって支持されることでハウジングの軸方向の上述した一端部に組付けられている。点火器４０は、ガス発生剤８０を燃焼させるためのものであり、ハウジングの内部の空間に面するように設置されている。より詳細には、ホルダ２０は、点火器４０をかしめ固定するためのかしめ部２２をハウジングの内部の空間に面する方の軸方向端部に有しており、点火器４０が貫通部２１に内挿されてホルダ２０の貫通部２１を規定する部分の壁部に当て留めされた状態で上述したかしめ部２２がかしめられることにより、点火器４０がホルダ２０に挟持されて固定されている。
【００３９】
点火器４０は、点火部４１と、一対の端子ピン４２とを含んでいる。点火部４１の内部には、一対の端子ピン４２に接続するように抵抗体（ブリッジワイヤ）が取付けられており、この抵抗体を取り囲むようにまたはこの抵抗体に接するように点火部４１内に点火薬が充填されている。また、点火部４１内には、必要に応じて伝火薬が装填されていてもよい。
【００４０】
ここで、抵抗体としては、一般にニクロム線やプラチナおよびタングステンを含む合金製の抵抗線等が用いられ、点火薬としては、一般にＺＰＰ（ジルコニウム・過塩素酸カリウム）、ＺＷＰＰ（ジルコニウム・タングステン・過塩素酸カリウム）、鉛トリシネート等が用いられる。また、伝火薬としては、Ｂ／ＫＮＯ３、Ｂ／ＮａＮＯ３、Ｓｒ（ＮＯ３）２等に代表される金属粉／酸化剤からなる組成物や、水素化チタン／過塩素酸カリウムからなる組成物、Ｂ／５−アミノテトラゾール／硝酸カリウム／三酸化モリブデンからなる組成物等が用いられる。なお、点火部４１を囲うスクイブカップは、一般に金属製またはプラスチック製である。
【００４１】
衝突を検知した際には、端子ピン４２を介して抵抗体に所定量の電流が流れる。抵抗体に所定量の電流が流れることにより、抵抗体においてジュール熱が発生し、点火薬が燃焼を開始する。燃焼により生じた高温の火炎は、点火薬を収納しているスクイブカップを破裂させる。抵抗体に電流が流れてから点火器４０が作動するまでの時間は、抵抗体にニクロム線を利用した場合には一般に２ミリ秒以下である。
【００４２】
点火器４０とホルダ２０との間には、Ｏリング等からなるシール部材２７が介装されている。シール部材２７は、点火器４０とホルダ２０との間に隙間が生じることを防止するためのものであり、これによってハウジングの内部の空間が気密に封止されることになる。
【００４３】
ホルダ２０の外部に露出する方の軸方向端部には、上述した貫通部２１に連続して窪み部２５が設けられている。窪み部２５は、点火器４０とコントロールユニット（不図示）とを結線するためのハーネスの雄型コネクタ（図示せず）を受け入れる雌型コネクタ部を形成しており、当該窪み部２５内には、点火器４０の端子ピン４２の先端寄りの部分が露出して位置している。当該雌型コネクタ部としての窪み部２５には、雄型コネクタが挿し込まれ、これによりハーネスの芯線と端子ピン４２との電気的導通が実現される。
【００４４】
なお、ハウジングに対する点火器４０の組付構造やハウジングと点火器４０との間のシール構造は、上述した組付構造やシール構造に限定されるものではなく、他の組付構造やシール構造を採用することとしても当然によい。
【００４５】
図１ないし図３に示すように、ハウジングの内部の空間の所定位置には、ガス噴出口側筒部材５０、点火器側筒部材６０および隔壁部材７０が配置されている。これらガス噴出口側筒部材５０、点火器側筒部材６０および隔壁部材７０は、上述したようにハウジングの内部の空間を相互に区画する部材として機能するものである。
【００４６】
図１および図３に示すように、第１筒部材としてのガス噴出口側筒部材５０は、比較的直径が小さい円筒状の小径部５１と、小径部５１の一方の軸方向端部を閉塞する底部５２と、小径部５１の他方の軸方向端部側に位置し、比較的直径が大きい円筒状の大径部５３とを含んでいる。小径部５１および大径部５３は、これらの間に位置する環状段差部５５を介して接続されている。当該環状段差部５５が設けられることにより、ガス噴出口側筒部材５０の筒状の部位には、その内周面側に位置し、ハウジングの上述した一端部側を向いた内周面側段差面と、その外周面側に位置し、ハウジングの上述した他端部側を向いた外周面側段差面とが形成されることになる。
【００４７】
ガス噴出口側筒部材５０の底部５２には、後述する隔壁部材７０のロッド部７２の先端が挿入される孔部５２ａが設けられている。当該孔部５２ａは、底部５２の中心位置に設けられており、ハウジングの軸方向と平行となるように穿たれている。
【００４８】
ガス噴出口側筒部材５０は、ハウジングの内部の空間のうちの閉塞部材３０が位置する側の端部（すなわちハウジングの上述した他端部）近傍に配置されている。ここで、底部５２は、閉塞部材３０のハウジングの内部の空間側に位置する軸方向端面に当接しており、大径部５３の外周面は、ハウジング本体１０の周壁部１１の内周面に当接している。これにより、ガス噴出口側筒部材５０は、ハウジングの上述した他端部側の位置においてハウジングに対して組付けられている。
【００４９】
なお、ガス噴出口側筒部材５０の大径部５３は、ハウジング本体１０の周壁部１１に圧入されていることが好ましい。このように構成することにより、大径部５３の外周面と周壁部１１の内周面とが密着することになり、これらの間に隙間が生じることがより確実に防止できることになる。
【００５０】
図１ないし図３に示すように、第２筒部材としての点火器側筒部材６０は、長尺円筒状の筒状部６１と、筒状部６１の一方の軸方向端部に設けられたスカート部６２とを含んでいる。筒状部６１は、その軸方向がハウジングの軸方向と略平行となるように配置されている。スカート部６２は、ハウジングの内部の空間のうちのホルダ２０が位置する側の端部（すなわちハウジングの上述した一端部）から距離をもって配置されており、筒状部６１のハウジングの上述した一端部側から径方向外側に向けて広がるように形成された部分を有している。
【００５１】
点火器側筒部材６０は、ハウジングの内部の空間のうちのハウジング本体１０の軸方向の途中位置に配置されている。ここで、筒状部６１の閉塞部材３０側の軸方向端部は、上述したガス噴出口側筒部材５０の大径部５３に内挿されることで当該ガス噴出口側筒部材５０に設けられた内周面側段差面に当接しており、スカート部６２の外周面の一部は、ハウジング本体１０の周壁部１１の内周面に当接している。これにより、点火器側筒部材６０は、ハウジングの軸方向の途中位置においてガス噴出口側筒部材５０およびハウジングに対して組付けられている。
【００５２】
なお、点火器側筒部材６０の筒状部６１の閉塞部材３０側の軸方向端部は、ガス噴出口側筒部材５０の大径部５３に圧入されていることが好ましい。このように構成することにより、筒状部６１の外周面の一部と大径部５３の内周面とが密着することになり、これらの間に隙間が生じることがより確実に防止できることになる。
【００５３】
また、点火器側筒部材６０のスカート部６２の一部は、ハウジング本体１０の周壁部１１に圧入されていることが好ましい。このように構成することにより、スカート部６２の外周面の一部と周壁部１１の内周面とが密着することになり、これらの間に隙間が生じることがより確実に防止できることになる。
【００５４】
図１および図３に示すように、第１筒部材および第２筒部材とは異なる部材である隔壁部材７０は、所定の厚みを有する円盤状の部位である隔壁部７１と、当該隔壁部７１から立設された支柱状のロッド部７２とを有している。隔壁部７１は、その主面がハウジングの軸方向と略直交するように位置しており、ロッド部７２は、その軸方向がハウジングの軸方向と略平行となるように位置している。
【００５５】
隔壁部材７０は、ハウジングの内部の空間のうちの閉塞部材３０が位置する側の端部（すなわちハウジングの上述した他端部）近傍であって、ガス噴出口側筒部材５０および点火器側筒部材６０のそれぞれの内側に延在するように配置されている。ここで、隔壁部７１の外周面は、点火器側筒部材６０の内周面に当接しており、ロッド部７２の先端は、上述したガス噴出口側筒部材５０の底部５２に設けられた孔部５２ａに嵌合している。これにより、隔壁部材７０は、ハウジングの上述した他端部側の位置においてガス噴出口側筒部材５０および点火器側筒部材６０に対して組付けられている。
【００５６】
隔壁部材７０の隔壁部７１は、点火器側筒部材６０の筒状部６１の内側の所定位置に配置されている。具体的には、隔壁部材７０のロッド部７２は、点火器側筒部材６０の筒状部６１の軸方向の途中位置にまでに達するように設けられており、これによって隔壁部７１は、点火器側筒部材６０の筒状部６１の内側へと入り込んで位置している。そのため、当該隔壁部７１により、筒状部６１の内側の空間が軸方向に２つの空間に区画されることになる。
【００５７】
なお、隔壁部材７０の隔壁部７１は、点火器側筒部材６０の筒状部６１に圧入されていることが好ましい。このように構成することにより、隔壁部７１の外周面と筒状部６１の内周面とが密着することになり、これらの間に隙間が生じることがより確実に防止できることになる。
【００５８】
上述したガス噴出口側筒部材５０、点火器側筒部材６０および隔壁部材７０は、いずれもたとえばステンレス鋼や鉄鋼、アルミニウム合金、ステンレス合金等の金属製の部材にて構成されている。特に、点火器側筒部材６０は、ガス発生剤８０が燃焼した場合にもその圧力上昇に伴って大きく変形することがないように、十分に高い機械的強度を有する部材にて構成されていることが必要であり、好適には普通鋼や特殊鋼等の鋼板（たとえば、冷間圧延鋼板やステンレス鋼板等）からなる部材が利用される。また、隔壁部材７０のうちのロッド部７２は、より大きい熱容量を有することとなるように中実状に形成されている。
【００５９】
以上により、図１ないし図３に示すように、ハウジングの内部の空間は、ガス噴出口側筒部材５０、点火器側筒部材６０および隔壁部材７０によって、上述した４つの空間である燃焼室Ｓ１、ガス通路室Ｓ２、減圧室Ｓ３およびガス排出室Ｓ４に区画されることになる。
【００６０】
具体的には、燃焼室Ｓ１は、ハウジング本体１０の周壁部１１、ホルダ２０およびこれに組付けられた点火器４０、点火器側筒部材６０の筒状部６１およびスカート部６２、隔壁部材７０の隔壁部７１によって主として規定されることになり、ガス通路室Ｓ２は、ハウジング本体１０の周壁部１１、ガス噴出口側筒部材５０の大径部５３、点火器側筒部材６０の筒状部６１およびスカート部６２によって主として規定されることになる。
【００６１】
また、減圧室Ｓ３は、ガス噴出口側筒部材５０の小径部５１および底部５２、点火器側筒部材６０の筒状部６１、隔壁部材７０の隔壁部７１によって主として規定されることになり、ガス排出室Ｓ４は、ハウジング本体１０の周壁部１１、閉塞部材３０、ガス噴出口側筒部材５０の小径部５１および大径部５３によって主として規定されることになる。
【００６２】
換言すれば、ハウジングの内部の空間は、ガス噴出口側筒部材５０の小径部５１と点火器側筒部材６０の筒状部６１とによって構成される内筒部によって、内側空間（当該内側空間には、燃焼室Ｓ１の一部と減圧室Ｓ３とが含まれる）と外側空間（当該外側空間には、ガス通路室Ｓ２とガス排出室Ｓ４とが含まれる）とに径方向において区画されることになり、さらに、このうちの内側空間が、隔壁部材７０の隔壁部７１によって構成される第１仕切り部によって、ハウジングの上述した一端部側に位置する燃焼室Ｓ１とハウジングの上述した他端部側に位置する減圧室Ｓ３とに区画されることになるとともに、このうちの外側空間が、ガス噴出口側筒部材５０の大径部５３によって構成される第２仕切り部によって、ハウジングの上述した一端部側に位置するガス通路室Ｓ２とハウジングの上述した他端部側に位置するガス排出室Ｓ４とに区画されることになる。なお、第１仕切り部としての隔壁部７１は、第２仕切り部としての大径部５３よりもハウジングの上述した一端部側に配置されている。
【００６３】
図１ないし図３に示すように、上述した燃焼室Ｓ１には、ガス発生剤８０が装填されており、また、当該燃焼室Ｓ１のうちの点火器４０寄りの部分には、ホルダ２０とガス発生剤８０との間に介在するようにクッション部材９０が配置されている。
【００６４】
ガス発生剤８０は、点火器４０が作動することによって生じた熱粒子によって着火されて燃焼することでガスを発生させる薬剤である。ガス発生剤８０としては、非アジド系ガス発生剤を用いることが好ましく、一般に燃料と酸化剤と添加剤とを含む成形体として構成される。燃料としては、たとえばトリアゾール誘導体、テトラゾール誘導体、グアニジン誘導体、アゾジカルボンアミド誘導体、ヒドラジン誘導体等またはこれらの組み合わせが利用される。具体的には、たとえばニトログアニジンや硝酸グアニジン、シアノグアニジン、５−アミノテトラゾール等が好適に利用される。また、酸化剤としては、たとえば塩基性硝酸銅等の塩基性硝酸塩や、過塩素酸アンモニウム、過塩素酸カリウム等の過塩素酸塩、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。また、添加剤としては、バインダやスラグ形成剤、燃焼調整剤等が挙げられる。バインダとしては、たとえばカルボキシメチルセルロースの金属塩、ステアリン酸塩等の有機バインダや、合成ヒドロタルサイト、酸性白土等の無機バインダが好適に利用可能である。スラグ形成剤としては、窒化珪素、シリカ、酸性白土等が好適に利用可能である。また、燃焼調整剤としては、金属酸化物、フェロシリコン、活性炭、グラファイト等が好適に利用可能である。
【００６５】
ガス発生剤８０の成形体の形状には、顆粒状、ペレット状、円柱状等の粒状のもの、ディスク状のものなど様々な形状のものがある。また、円柱状のものでは、成形体内部に貫通孔を有する有孔状（たとえば単孔筒形状や多孔筒形状等）の成形体も利用される。これらの形状は、シリンダ型ガス発生器１Ａが組み込まれるエアバッグ装置の仕様に応じて適宜選択されることが好ましく、たとえばガス発生剤８０の燃焼時においてガスの生成速度が時間的に変化する形状を選択するなど、仕様に応じた最適な形状を選択することが好ましい。また、ガス発生剤８０の形状の他にもガス発生剤８０の線燃焼速度、圧力指数などを考慮に入れて成形体のサイズや充填量を適宜選択することが好ましい。
【００６６】
図１および図２に示すように、クッション部材９０は、成形体からなるガス発生剤８０が振動等によって粉砕されてしまうことを防止する目的で設けられるものであり、金属線材を曲げ加工することによって形成されたバネ部９１および押圧部９２を有している。バネ部９１は、その一端がホルダ２０に当接するように配置されており、その他端に押圧部９２が形成されている。押圧部９２は、金属線材が所定の間隔をもって略平行に配置されることで構成されており、ガス発生剤８０に当接している。これにより、ガス発生剤８０は、クッション部材９０によって隔壁部材７０側に向けて付勢されることになり、ハウジングの内部において移動してしまうことが防止されている。
【００６７】
なお、上述した如くのクッション部材９０に代えて、たとえばセラミックスファイバの成形体やロックウール、発泡樹脂（たとえば発泡シリコーン、発泡ポリプロピレン、発泡ポリエチレン等）、クロロプレンおよびＥＰＤＭに代表されるゴム等からなるクッション材を利用することとしてもよい。
【００６８】
図１ないし図３に示すように、点火器側筒部材６０の筒状部６１のうちの燃焼室Ｓ１とガス通路室Ｓ２とを区画する部分である第１筒状部（すなわち、隔壁部７１が位置する部分よりもホルダ２０側に位置する部分の筒状部６１）には、第１連通孔６４が周方向および軸方向に沿って複数設けられている。当該複数の第１連通孔６４は、燃焼室Ｓ１とガス通路室Ｓ２とを連通させるためのものであり、ガス発生剤８０が燃焼することで燃焼室Ｓ１にて発生したガスを通過させ、これにより当該ガスをガス通路室Ｓ２に向けて流出させるためのものである。
【００６９】
また、点火器側筒部材６０の筒状部６１のうちのガス通路室Ｓ２と減圧室Ｓ３とを区画する部分である第２筒状部（すなわち、隔壁部７１が位置する部分よりも閉塞部材３０側に位置する部分の筒状部６１）には、第２連通孔６５が周方向および軸方向に沿って複数設けられている。当該複数の第２連通孔６５は、ガス通路室Ｓ２と減圧室Ｓ３とを連通させるためのものであり、ガス通路室Ｓ２に流入したガスを通過させ、これにより当該ガスを減圧室Ｓ３に向けて流出させるためのものである。
【００７０】
当該複数の第２連通孔６５は、いずれも隔壁部材７０のロッド部７２に面するように設けられていることが好ましい。このように構成すれば、複数の第２連通孔６５を通過した後のガスがロッド部７２に吹き付けられることになり、ガスのより効率的な冷却が可能になるとともに、スラグ（残渣）の捕集機能を高めることが可能になる。
【００７１】
一方、減圧室Ｓ３とガス排出室Ｓ４とを区画する部分である第３筒状部としてのガス噴出口側筒部材５０の小径部５１には、第３連通孔５４が周方向および軸方向に沿って複数設けられている。当該複数の第３連通孔５４は、減圧室Ｓ３とガス排出室Ｓ４とを連通させるためのものであり、減圧室Ｓ３に流入したガスを通過させ、これにより当該ガスをガス排出室Ｓ４に向けて流出させるためのものである。
【００７２】
また、ガス排出室Ｓ４を規定する部分のハウジング本体１０の周壁部１１には、上述したガス噴出口１２が周方向および軸方向に沿って複数設けられている。当該複数のガス噴出口１２は、ハウジングの内部の空間と外部の空間とを連通させるためのものであり、ガス排出室Ｓ４に流入したガスを通過させ、これにより当該ガスをハウジングの外部に導出するためのものである。
【００７３】
当該複数のガス噴出口１２は、上述した複数の第３連通孔５４にハウジングの径方向において対面しない位置に設けられていることが好ましい。このように構成すれば、ガス排出室Ｓ４近傍におけるガスの流路を迷路化することが可能になり、ガスのより効率的な冷却が可能になるとともに、スラグの捕集機能を高めることが可能になる。
【００７４】
ガス排出室Ｓ４を規定するハウジング本体１０の周壁部１１のうち、複数のガス噴出口１２が設けられた部分の内周面には、シールテープ１５が貼付されている。当該シールテープ１５は、ハウジング本体１０に設けられた複数のガス噴出口１２を開放可能に閉鎖するためのものであり、このシールテープ１５としては、片面に粘着部材が塗布されたアルミニウム箔等が利用される。これにより、シリンダ型ガス発生器１Ａの非作動時において、燃焼室Ｓ１、ガス通路室Ｓ２、減圧室Ｓ３およびガス排出室Ｓ４の気密性が確保されることになる。
【００７５】
図４は、図１に示すシリンダ型ガス発生器の作動時におけるガスの流れを模式的に表わした図である。次に、この図４を参照して、本実施の形態におけるシリンダ型ガス発生器１Ａの作動時における動作について説明する。
【００７６】
本実施の形態におけるシリンダ型ガス発生器１Ａが搭載された車両が衝突した場合には、車両に別途設けられた衝突検知手段によって衝突が検知され、これに基づいて車両に別途設けられたコントロールユニットからの通電によって点火器４０が作動する。
【００７７】
図４に示すように、燃焼室Ｓ１に装填されたガス発生剤８０は、点火器４０が作動することによって生じた火炎によって着火されて燃焼し、多量のガスを発生させる。これにより、燃焼室Ｓ１にて発生したガスは、点火器側筒部材６０に設けられた第１連通孔６４を介してガス通路室Ｓ２へと流れ込む。その際、ガス通路室Ｓ２に流れ込んだガスは、ハウジングの径方向に沿ってハウジング本体１０の周壁部１１の内周面に吹き付けられることになり、ガス中に含まれるスラグは、当該周壁部１１の内周面に付着することで相当程度除去される。
【００７８】
ハウジング本体１０の周壁部１１の内周面に吹き付けられたガスは、その後、ガス通路室Ｓ２をハウジングの軸方向に沿って流動する。その際、ガスがハウジング本体１０の周壁部１１に接触することで熱が奪われて冷却される。その後、ガス通路室Ｓ２を流動したガスは、点火器側筒部材６０に設けられた第２連通孔６５を介して減圧室Ｓ３へと流れ込む。
【００７９】
減圧室Ｓ３に流れ込んだガスは、当該減圧室Ｓ３に配置されたロッド部７２に吹き付けられる。ここで、ロッド部７２は、上述したようにより大きい熱容量を有することとなるように中実状に構成されたものであるため、ロッド部７２に吹き付けられたガスは、当該ロッド部７２の外周面に接触することで熱が奪われてさらに冷却されるとともに、当該ガス中に含まれるスラグは、ロッド部７２の外周面に付着することでさらに相当程度除去されることになる。
【００８０】
ロッド部７２に吹き付けられた後のガスは、減圧室Ｓ３の内部をハウジングの軸方向に沿って閉塞部材３０側に向けて流動し、ガス噴出口側筒部材５０の底部５２に吹き付けられることでさらに冷却されるとともにスラグが除去される。底部５２に吹き付けられたガスは、その後向きを変え、ガス噴出口側筒部材５０に設けられた第３連通孔５４を介してガス排出室Ｓ４へと流れ込む。
【００８１】
ガス排出室Ｓ４にガスが流れ込むことにより、当該ガス排出室Ｓ４の圧力が上昇し、これに伴ってハウジング本体１０の周壁部１１に設けられたガス噴出口１２を閉塞しているシールテープ１５が破られる。これにより、ガス排出室Ｓ４に流れ込んだガスは、ハウジングの外部へと噴出される。なお、その際、迷路化されたガス排出室Ｓ４においても、さらにガスが冷却されてスラグが除去されることになる。
【００８２】
ガス噴出口１２から噴出されたガスは、シリンダ型ガス発生器１Ａに隣接して設けられたエアバッグの内部に導入され、エアバッグを膨張および展開する。
【００８３】
以上において説明した本実施の形態におけるシリンダ型ガス発生器１Ａにおいては、ガスの冷却性能やスラグの捕集機能が格段に高まることとなるように、ガスの流動方向が複数回にわたって変更されるように構成されたものであるものの、ガスの流路を規定するための部材が、比較的単純な形状を有する３つの部材（すなわち、ガス噴出口側筒部材５０、点火器側筒部材６０および隔壁部材７０）のみによって構成されており、これら３つの部材をハウジングに対して固定するに際しても、閉塞部材３０が取付けられたハウジング本体１０に対してこれら３つの部材を内挿するという非常に簡便な組付作業にてこれを行なうことができる。したがって、上記構成を作用することにより、部品点数の削減が可能になるとともに、製造の際の組付作業も簡略化されることになり、効率的なガスの冷却が可能な、容易にかつ安価に製造することができるシリンダ型ガス発生器とすることができる。
【００８４】
なお、ガス噴出口側筒部材５０、点火器側筒部材６０および隔壁部材７０をハウジングに対して固定するに際しては、これらを順にハウジング本体１０に内挿することとしてもよいし、予めこれらのすべてまたは一部を組み立てた状態としておいてからハウジング本体１０に内挿することとしてもよい。
【００８５】
また、上記構成を採用することにより、ガス噴出口側筒部材５０、点火器側筒部材６０および隔壁部材７０が容易に位置決めされてハウジングに対して固定されることになる。そのため、これら部材間に意図しない隙間が生じることもなくなり、非作動時のみならず作動時においても燃焼室Ｓ１、ガス通路室Ｓ２、減圧室Ｓ３およびガス排出室Ｓ４が相互に仕切られた状態が維持されることになる。したがって、所望の動作が確実に実現できる高性能のシリンダ型ガス発生器とすることができる。
【００８６】
また、上記構成のシリンダ型ガス発生器１Ａは、上述したようにガスの流動方向がハウジングの内部において複数回にわたって変更されるように構成されたものであり、ガスの冷却性能やスラグの捕集機能が格段に高まる効果が得られるものである。そのため、フィルタを設置することを必要とせず、その意味においても部品点数の削減やさらなる組付け作業の容易化等が図られることになり、さらにはシリンダ型ガス発生器の大幅な軽量化も実現できることになる。
【００８７】
（実施の形態２）
図５は、本発明の実施の形態２におけるシリンダ型ガス発生器のガス噴出口近傍の概略図である。以下、この図５を参照して、本実施の形態におけるシリンダ型ガス発生器１Ｂについて説明する。
【００８８】
図５に示すように、本実施の形態におけるシリンダ型ガス発生器１Ｂは、上述した実施の形態１におけるシリンダ型ガス発生器１Ａと比較した場合に、減圧室Ｓ３に配置されたロッド部７２に金属線材の巻回体７３が外挿されている点においてのみ相違している。
【００８９】
具体的には、金属線材の巻回体７３としてたとえば図示する如くのコイルバネを利用することができ、当該コイルバネは、その軸方向に沿ってガス噴出口側筒部材５０底部５２と隔壁部材７０の隔壁部７１とによって軽圧縮された状態となるように、これら底部５２と隔壁部７１とによって挟持されることで組付けられる。
【００９０】
このように構成した場合には、上述した実施の形態１において説明した効果が得られるばかりでなく、比較的軽量の金属線材の巻回体７３を一種のフィルタとして機能させることが可能になり、当該巻回体７３を配置することにより、重量の増加を抑制しつつガスの冷却性能やスラグの捕集機能をさらに高めることができる。
【００９１】
なお、金属線材の巻回体７３としては、上述したコイルバネに限られず、ロッド部７２に１本または複数本の金属線材を単に巻き付けることでこれを構成してもよいし、他の構成のものを用いてもよい。
【００９２】
（実施の形態３）
図６は、本発明の実施の形態３におけるシリンダ型ガス発生器のガス噴出口近傍の概略図である。以下、この図６を参照して、本実施の形態におけるシリンダ型ガス発生器１Ｃについて説明する。
【００９３】
図６に示すように、本実施の形態におけるシリンダ型ガス発生器１Ｃは、上述した実施の形態１におけるシリンダ型ガス発生器１Ａと比較した場合に、ガス噴出口側筒部材５０が図１等に示した底部５２を有していない点においてのみ相違している。このように構成した場合には、ガス噴出口側筒部材５０の小径部５１の軸方向端部が閉塞部材３０のハウジングの内部の空間側に位置する軸方向端面に当接されるとともに、隔壁部材７０のロッド部７２の先端も閉塞部材３０のハウジングの内部の空間側に位置する軸方向端面に当て留めされることになる。
【００９４】
このように構成した場合には、上述した実施の形態１において説明した効果が得られるばかりでなく、さらなる軽量化も実現できることになる。
【００９５】
（実施の形態４）
図７は、本発明の実施の形態４におけるシリンダ型ガス発生器のガス噴出口近傍の概略図であり、図８は、図７に示す領域ＶＩＩＩの拡大図である。以下、これら図７および図８を参照して、本実施の形態におけるシリンダ型ガス発生器１Ｄについて説明する。
【００９６】
図７および図８に示すように、本実施の形態におけるシリンダ型ガス発生器１Ｄは、上述した実施の形態１におけるシリンダ型ガス発生器１Ａと比較した場合に、点火器側筒部材６０の閉塞部材３０側に位置する軸方向端部の形状においてのみ相違している。
【００９７】
具体的には、点火器側筒部材６０の閉塞部材３０側に位置する軸方向端部には、閉塞部材３０が位置する側（すなわちハウジングの上述した他端部側）に向かうにつれて拡径する拡径部６３が設けられており、当該拡径部６３の先端が、ガス噴出口側筒部材５０の環状段差部５５の内周面側段差面および大径部５３の内周面にそれぞれ当接している。
【００９８】
このように構成した場合には、図８に示すように、ガス発生剤８０が燃焼することによって点火器側筒部材６０に作用する推力が、ハウジングの軸方向に沿ってガス噴出口側筒部材５０の環状段差部５５に作用する（環状段差部５５に作用する力を図中において模式的に矢印ＡＲ１にて示している）とともに、ハウジングの径方向に沿ってガス噴出口側筒部材５０の大径部５３に作用する（大径部５３に作用する力を図中において模式的に矢印ＡＲ２にて示している）ことになる。そのため、ガス通路室Ｓ２とガス排出室Ｓ４とを区画する部分であるガス噴出口側筒部材５０の大径部５３が、作動時においてよりハウジング本体１０の周壁部１１の内周面に密着した状態となるため、当該部分において隙間が生じることがより確実に防止できることになる。
【００９９】
さらには、このように構成した場合には、ガス噴出口側筒部材５０の大径部５３と点火器側筒部材６０の筒状部６１および拡径部６３とによって囲われた空間が、ガス通路室Ｓ２のハウジングの上述した他端部側に形成されることになる。そのため、当該他端部側に向けてガス通路室Ｓ２を流動するガスの少なくとも一部が、筒状部６１に設けられた第２連通孔６５に直ちに流入せずに一旦上述した空間に流れ込むようになるため、ガスの冷却性能やスラグの捕集機能をさらに高めることが可能になる。
【０１００】
したがって、本実施の形態の如くのシリンダ型ガス発生器１Ｄとすることにより、上述した実施の形態１において説明した効果が得られるばかりでなく、作動時においてさらに燃焼室Ｓ１、ガス通路室Ｓ２、減圧室Ｓ３およびガス排出室Ｓ４が相互に仕切られた状態を確実に維持できることになり、所望の動作が確実に実現できる高性能のシリンダ型ガス発生器とすることができるとともに、ガスの冷却性能およびスラグの補修機能がさらに高められたシリンダ型ガス発生器とすることができる。
【０１０１】
（実施の形態５）
図９は、本発明の実施の形態５におけるシリンダ型ガス発生器のガス噴出口近傍の概略図であり、図１０は、図９に示す領域Ｘの拡大図である。以下、これら図９および図１０を参照して、本実施の形態におけるシリンダ型ガス発生器１Ｅについて説明する。
【０１０２】
図９および図１０に示すように、本実施の形態におけるシリンダ型ガス発生器１Ｅは、上述した実施の形態１におけるシリンダ型ガス発生器１Ａと比較した場合に、ガス噴出口側筒部材５０の大径部５３および環状段差部５５の形状ならびに点火器側筒部材６０の閉塞部材３０側に位置する軸方向端部の形状においてのみ相違している。
【０１０３】
具体的には、ガス噴出口側筒部材５０の環状段差部５５は、その内面側の表面が２段に構成されているとともに、ガス噴出口側筒部材５０の大径部５３の内周面が、閉塞部材３０が位置する側（すなわちハウジングの上述した他端部側）に向かうにつれて縮径した傾斜面５３ａにて構成されている。
【０１０４】
また、点火器側筒部材６０の閉塞部材３０側に位置する軸方向端部には、閉塞部材３０が位置する側（すなわちハウジングの上述した他端部側）に向かうにつれて拡径する拡径部６３が設けられており、当該拡径部６３の先端面が、閉塞部材３０が位置する側に向かうにつれて縮径した傾斜面６３ａにて構成されている。
【０１０５】
ここで、点火器側筒部材６０の拡径部６３の先端は、ガス噴出口側筒部材５０の環状段差部５５の２つの内周面側段差面のうちの点火器４０が位置する側（すなわちハウジングの上述した一端部側）の内周面側段差面と大径部５３の内周面のそれぞれに当接しており、このうちの拡径部６３の先端に位置する傾斜面６３ａが、大径部５３の内周面である傾斜面５３ａに当接している。これにより、点火器側筒部材６０とガス噴出口側筒部材５０との当接箇所が、ハウジングの上述した他端部側に向かうにつれて縮径する傾斜部分を含むように構成されている。
【０１０６】
このように構成した場合には、図１０に示すように、ガス発生剤８０が燃焼することによって点火器側筒部材６０に作用する推力が、ハウジングの軸方向に沿ってガス噴出口側筒部材５０の環状段差部５５に作用する（環状段差部５５に作用する力を図中において模式的に矢印ＡＲ１にて示している）とともに、ハウジングの径方向に沿ってガス噴出口側筒部材５０の大径部５３に作用する（大径部５３に作用する力を図中において模式的に矢印ＡＲ２にて示している）ことになる。そのため、ガス通路室Ｓ２とガス排出室Ｓ４とを区画する部分であるガス噴出口側筒部材５０の大径部５３が、作動時においてよりハウジング本体１０の周壁部１１の内周面に密着した状態となるため、当該部分において隙間が生じることがより確実に防止できることになる。
【０１０７】
さらには、このように構成した場合には、ガス噴出口側筒部材５０の大径部５３と点火器側筒部材６０の筒状部６１および拡径部６３とによって囲われた空間が、ガス通路室Ｓ２のハウジングの上述した他端部側に形成されることになる。そのため、当該他端部側に向けてガス通路室Ｓ２を流動するガスの少なくとも一部が、筒状部６１に設けられた第２連通孔６５に直ちに流入せずに一旦上述した空間に流れ込むようになるため、ガスの冷却性能やスラグの捕集機能をさらに高めることが可能になる。
【０１０８】
したがって、本実施の形態の如くのシリンダ型ガス発生器１Ｅとすることにより、上述した実施の形態１において説明した効果が得られるばかりでなく、作動時においてさらに燃焼室Ｓ１、ガス通路室Ｓ２、減圧室Ｓ３およびガス排出室Ｓ４が相互に仕切られた状態を確実に維持できることになり、所望の動作が確実に実現できる高性能のシリンダ型ガス発生器とすることができるとともに、ガスの冷却性能およびスラグの補修機能がさらに高められたシリンダ型ガス発生器とすることができる。
【０１０９】
（実施の形態６）
図１１は、本発明の実施の形態６におけるシリンダ型ガス発生器のガス噴出口近傍の概略図である。以下、この図１１を参照して、本実施の形態におけるシリンダ型ガス発生器１Ｆについて説明する。
【０１１０】
図１１に示すように、本実施の形態におけるシリンダ型ガス発生器１Ｆは、上述した実施の形態１におけるシリンダ型ガス発生器１Ａと比較した場合に、図１等に示した隔壁部材７０を備えていない点と、これに代えて図１に示した点火器側筒部材６０が、互いに分離された異なる部材である第１点火器側筒部材６０Ａおよび第２点火器側筒部材６０Ｂとに分割されている点においてのみ相違している。
【０１１１】
具体的には、第１点火器側筒部材６０Ａは、第２点火器側筒部材６０Ｂよりも点火器４０が位置する側（すなわちハウジングの上述した一端部側）に配置されており、これら第１点火器側筒部材６０Ａおよび第２点火器側筒部材６０Ｂがハウジングの軸方向と略平行に配置されている。
【０１１２】
第１点火器側筒部材６０Ａは、円筒状の筒状部６１ａと、当該筒状部６１ａの閉塞部材３０が位置する側（すなわちハウジングの上述した他端部側）の軸方向端部に設けられた隔壁部６６ａとを含んでいる。隔壁部６６ａは、筒状部６１ａのハウジングの上述した他端部側の軸方向端部を閉塞しており、その中心位置に孔部６６ａ１を有している。
【０１１３】
第２点火器側筒部材６０Ｂは、有底筒状の形状を有しており、円筒状の筒状部６１ｂと、当該筒状部６１ｂの点火器４０が位置する側（すなわちハウジングの上述した一端部側）の軸方向端部に設けられた隔壁部６６ｂとを含んでいる。隔壁部６６ｂは、筒状部６１ｂのハウジングの上述した一端部側の軸方向端部を閉塞しており、その中心位置に突起部６６ｂ１を有している。なお、筒状部６１ｂの閉塞部材３０が位置する側（すなわちハウジングの上述した他端部側）の軸方向端部には、筒状部６１ｂから外側に向かって延びるフランジ部６３ｂが設けられている。
【０１１４】
ここで、第１点火器側筒部材６０Ａの隔壁部６６ａと第２点火器側筒部材６０Ｂの隔壁部６６ｂとは、互いに当接しており、上述した孔部６６ａ１には、突起部６６ｂ１が嵌合している。これにより、第１点火器側筒部材６０Ａと第２点火器側筒部材６０Ｂとは、互いの中心軸が合致するように組み合わされ、この状態においてこれら第１点火器側筒部材６０Ａおよび第２点火器側筒部材６０Ｂが、ガス噴出口側筒部材５０およびハウジングに対して組付けられている。
【０１１５】
なお、上記構成を採用した場合には、第１点火器側筒部材６０Ａの筒状部６１ａが、燃焼室Ｓ１とガス通路室Ｓ２とを区画する、第１連通孔６４が設けられた第１筒状部に該当することになり、第２点火器側筒部材６０Ｂの筒状部６１ｂが、ガス通路室Ｓ２と減圧室Ｓ３とを区画する、第２連通孔６５が設けられた第２筒状部に該当することになる。また、第１点火器側筒部材６０Ａの隔壁部６６ａおよび第２点火器側筒部材６０Ｂの隔壁部６６ｂが、燃焼室Ｓ１と減圧室Ｓ３とを区画する第１仕切り部に該当することになる。
【０１１６】
以上において説明した本実施の形態におけるシリンダ型ガス発生器１Ｆとした場合にも、ガスの流路を規定するための部材を、比較的単純な形状を有する３つの部材（すなわち、ガス噴出口側筒部材５０、第１点火器側筒部材６０Ａおよび第２点火器側筒部材６０Ｂ）のみによって構成することが可能になり、それらの組付作業も簡便にこれを行なうことができる。したがって、当該構成を作用した場合にも、上述した実施の形態１において説明した効果が得られることになる。
【０１１７】
なお、本実施の形態におけるシリンダ型ガス発生器１Ｆにおいても、上述した実施の形態４および５の場合と同様に、ガス噴出口側筒部材５０の大径部５３と第２点火器側筒部材６０Ｂの筒状部６１ｂおよびフランジ部６３ｂとによって囲われた空間が、ガス通路室Ｓ２のハウジングの上述した他端部側に形成されることになる。そのため、当該他端部側に向けてガス通路室Ｓ２を流動するガスの少なくとも一部が、筒状部６１ｂに設けられた第２連通孔６５に直ちに流入せずに一旦上述した空間に流れ込むようになるため、ガスの冷却性能やスラグの捕集機能をさらに高めることが可能になる。
【０１１８】
上述した本発明の実施の形態１ないし６においては、いずれも燃焼室が点火器側筒部材よりもホルダ側に位置する空間を含むように構成した場合を例示したが、必ずしもこのように構成する必要はない。すなわち、ホルダが点火器側筒部材に内挿された状態で固定されていてもよく、その場合には燃焼室は、隔壁部よりもハウジングの上述した一端部側（すなわちホルダ側）の空間であってかつ点火器側筒部材の筒状部よりも径方向内側の空間によってのみ構成されることになる。
【０１１９】
また、上述した本発明の実施の形態１ないし６においては、点火器の点火部内に点火薬のみまたは点火薬と伝火薬とが装填された場合を例示して説明を行なったが、伝火薬を装填する場合にこれが点火器の点火部内に装填されている必要は必ずしもなく、点火器の点火部とガス発生剤との間の位置にたとえばカップ状の部材や容器等を用いてこれが装填されていてもよい。
【０１２０】
また、上述した本発明の実施の形態６においては、燃焼室と減圧室とを区画する第１仕切り部を、第１点火器側筒部材の一部と第２点火器側筒部材の一部とによって構成した場合を例示して説明を行なったが、当該第１仕切り部は、第１点火器側筒部材の一部または第２点火器側筒部材の一部によってのみ構成されていてもよい。また、第１点火器側筒部材と第２点火器側筒部材との組付構造も、上述した突起部と孔部とを用いた嵌合構造に限られず、他の組付構造を採用することとしてもよい。
【０１２１】
加えて、上述した本発明の実施の形態１ないし６においては、本発明をサイドエアバッグ装置に組み込まれるシリンダ型ガス発生器に適用した場合を例示して説明を行なったが、本発明の適用対象はこれに限られるものではなく、助手席用エアバッグ装置やカーテンエアバッグ装置、ニーエアバッグ装置、シートクッションエアバッグ装置等に組み込まれるシリンダ型ガス発生器や、シリンダ型ガス発生器と同様に長尺状の外形を有するいわゆるＴ字型ガス発生器にもその適用が可能である。
【０１２２】
さらには、上述した本発明の実施の形態１ないし６において示した特徴的な構成は、装置構成上、許容される範囲で当然に相互にその組み合わせが可能である。
【０１２３】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１２４】
１Ａ〜１Ｆ  シリンダ型ガス発生器、１０  ハウジング本体、１１  周壁部、１２  ガス噴出口、１３，１４  かしめ部、１５  シールテープ、２０  ホルダ、２１  貫通部、２２  かしめ部、２３，２４  環状溝部、２５  窪み部、２６，２７  シール部材、３０  閉塞部材、３１，３２  環状溝部、３３  シール部材、４０  点火器、４１  点火部、４２  端子ピン、５０  ガス噴出口側筒部材、５１  小径部、５２  底部、５２ａ  孔部、５３  大径部、５３ａ  傾斜面、５４  第３連通孔、５５  環状段差部、６０  点火器側筒部材、６０Ａ  第１点火器側筒部材、６０Ｂ  第２点火器側筒部材、６１，６１ａ，６１ｂ  筒状部、６２  スカート部、６３  拡径部、６３ａ  傾斜面、６３ｂ  フランジ部、６４  第１連通孔、６５  第２連通孔、６６ａ，６６ｂ  隔壁部、６６ａ１  孔部、６６ｂ１  突起部、７０  隔壁部材、７１  隔壁部、７２  ロッド部、７３  巻回体、８０  ガス発生剤、９０  クッション部材、９１  バネ部、９２  押圧部、Ｓ１  燃焼室、Ｓ２  ガス通路室、Ｓ３  減圧室、Ｓ４  ガス排出室。
【図１】
0006399959.tif 000002
【図２】
0006399959.tif 000003
【図３】
0006399959.tif 000004
【図４】
0006399959.tif 000005
【図５】
0006399959.tif 000006
【図６】
0006399959.tif 000007
【図７】
0006399959.tif 000008
【図８】
0006399959.tif 000009
【図９】
0006399959.tif 000010
【図１０】
0006399959.tif 000011
【図１１】
0006399959.tif 000012